(57)【要約】  アプリケータと、第１のリザーバと、第２のリザーバとを含む、２つの液体パーソナルケア組成物のためのパッケージ。該アプリケータは、第１の空洞で取り外し不能に接続され、かつそこから離れて延在する。第１及び第２のリザーバはそれぞれ、その中にある分量の液体組成物を保持する。第１のリザーバは、アプリケータが通って独立して挿入され、かつ取り外されるように寸法決定された開口端を含む。第１のリザーバは、取り外し可能であり、かつアプリケータを保護するように包み込む。第２のリザーバは、閉口端と、液体組成物が通って分配され得る、対向する開口端とを含む。
2013525015.tif 000002
【特許請求の範囲】
【請求項１】
２つの液体化粧品組成物のためのパッケージ（１００）であって、
アプリケータ（１１２）と、
ある分量の第１の液体組成物を中に保持する第１のリザーバであって、該第１のリザーバが、第１のリザーバ近位端と、対向する第１のリザーバ遠位端とを備え、前記第１のリザーバ近位端が、前記アプリケータ（１１２）が通って挿入され、かつ取り外される開口端を備え、前記第１のリザーバ遠位端が、前記パッケージ（１００）の閉口端を画定する、第１のリザーバと、
を備え、
前記パッケージ（１００）が、ある分量の第２の液体組成物を中に保持する第２のリザーバを更に備え、該第２のリザーバが、第２のリザーバ近位端と、対向する第２のリザーバ遠位端とを備え、前記第２のリザーバ近位端が閉口端を備え、前記第２のリザーバ遠位端が、前記第２の液体化粧品組成物が通って分配される開口端を備え、
前記アプリケータ（１１２）が、前記第２のリザーバ閉口端に取り外し不能に接続され、かつそこから離れて延在し、前記第１のリザーバが、前記アプリケータ（１１２）及び前記第２のリザーバのうちの少なくとも１つに取り外し可能に取り付けられ、かつ前記第２のリザーバの閉口端から離れて延在して、前記アプリケータ（１１２）を保護するように包み込むことを特徴とする、パッケージ（１００）。
【請求項２】
前記第２のリザーバ（１３４）遠位端（１３８）に取り外し可能に取り付けられたキャップ（１４４）を更に備える請求項１に記載のパッケージ（１００）。
【請求項３】
前記第１の液体組成物が化粧品組成物である請求項１又は２に記載のパッケージ（１００）。
【請求項４】
前記化粧品組成物がマスカラである請求項３に記載のパッケージ（１００）。
【請求項５】
前記第２の液体組成物が前記第１の組成物を除去するように調合される請求項１〜４のいずれか一項に記載のパッケージ（１００）。
【請求項６】
前記第１及び第２のリザーバ（１２２、１３４）のうちの少なくとも１つが拭き取り具（１３２）を含む請求項１〜５のいずれか一項に記載のパッケージ（１００）。
【請求項７】
前記パッケージ（１００）が半透明部分及び透明部分のうちの少なくとも１つを更に備える請求項１〜６のいずれか一項に記載のパッケージ（１００）。
【請求項８】
前記パッケージ（１００）が本体（１０２）を有さない外観を有するように、前記本体（１０２）が前記第２のリザーバ（１３４）と一体化して形成される請求項１〜７のいずれか一項に記載のパッケージ（１００）。
【請求項９】
前記第１及び第２のリザーバ（１２２、１３４）のうちの少なくとも１つが第３のリザーバと交換可能であり、前記第３のリザーバが、その中に配置されるある分量の第３の液体組成物を有する請求項１〜８のいずれか一項に記載のパッケージ（１００）。
【請求項１０】
前記第３の組成物が、前記第１及び第２の組成物のうちの少なくとも１つと同一であるか、又は異なるものである請求項９に記載のパッケージ（１００）。
【発明の詳細な説明】
【技術分野】
【０００１】
本発明は、２つ以上の液体パーソナルケア組成物のためのパッケージを目的とする。
【背景技術】
【０００２】
２つのアプリケータを含む両端パーソナルケア組成物は、一般に、当該技術分野において既知である。場合によっては、２つのアプリケータが、製品の２つのリザーバで互換的に使用され、それは、１つ又は両方の組成物が汚染される潜在的な問題をもたらす。加えて、消費者は、どのアプリケータがどのリザーバと対になるのか混乱する場合がある。これは、特に組成物が互換的でない目的に供される、又は連続的に使用されることが意図されるときに、望ましくない。両端製品が１つのアプリケータのみ備えるとしても、上記のリスクは、依然として存在する。少なくとも一部の消費者は、両端パッケージに１つのアプリケータのみが提示されると、このアプリケータが両方の組成物に使用されるべきであると思い込む。
【０００３】
この問題の具体例は、両端マスカラパッケージの場合に存在する。マスカラの除去は、一般に、既に塗布されていたマスカラを再度湿らせ、柔らかくするための溶媒の使用を必要とする。この溶媒は、典型的には、綿棒又はティッシュに塗布される液体として供給される。かかる化粧品液体はまた、アイメイクアップリムーバ、又は単にマスカラリムーバとも称され得る。つい近年、一端にマスカラ組成物を、そして他端にマスカラリムーバ組成物を備えるマスカラパッケージが、市場で入手可能である。かかるパッケージは、両端に組成物リザーバ及びアプリケータシステムを有する。出願者らは、２つの組成物を種々組み合わせることが望ましくなく、例えば、リムーバ組成物がマスカラ組成物に移動し、それを希釈する可能性があり、リムーバ組成物がマスカラアプリケータを劣化させ得ることなどを見出した。
【発明の概要】
【発明が解決しようとする課題】
【０００４】
故に、２つ以上の異なる液体化粧品組成物と、液体化粧品組成物のうちの１つを他方で汚染する可能性を低減又は排除する、少なくとも１つのアプリケータとを含む、化粧品パッケージを提供することが望ましいであろう。
【課題を解決するための手段】
【０００５】
上記の問題に対する解決策を提供するために、２つ以上の液体パーソナルケア組成物のためのパッケージを本明細書に開示する。パッケージは、アプリケータと、第１のリザーバと、第２のリザーバとを備える。第１のリザーバは、その中にある分量の液体組成物を保持する。第１のリザーバは、第１のリザーバ近位端と、対向する第１のリザーバ遠位端とを含む。第１のリザーバ近位端は、アプリケータが通って挿入され、かつ取り外される開口端を備え、第１のリザーバ遠位端は、パッケージの閉口端を画定する。第２のリザーバは、その中にある分量の第２の液体組成物を保持する。第２のリザーバは、第２のリザーバ近位端と、対向する第２のリザーバ遠位端とを備える。第２のリザーバ近位端は、閉口端を備え、第２のリザーバ遠位端は、第２の液体化粧品組成物が通って分配される開口端を備える。アプリケータは、第２のリザーバ閉口端に取り外し不能に接続され、かつそこから離れて延在し、第１のリザーバは、アプリケータ及び第２のリザーバのうちの少なくとも１つに取り外し可能に取り付けられ、かつ第２のリザーバ閉口端から離れて延在して、アプリケータを保護するように包み込む。
【図面の簡単な説明】
【０００６】
本明細書は、本発明を特に指摘し明確に請求する特許請求の範囲をもって結論とするが、本発明は、添付図面と併せてなされる以下の説明から一層理解されるであろうと考えられる。
【図１】パッケージの斜視図。
【図２】図１に示される実施形態の断面図。
【図３】第１のリザーバのない、図１に示される実施形態の斜視図。
【図４】図１に示される実施形態の正面の展開図。
【図５】パッケージの斜視図。
【図６】第１のリザーバのない、図５に示される実施形態の正面部分の斜視図。
【図７】パッケージの斜視図。
【図８ａ】パッケージの斜視図。
【図８ｂ】パッケージの斜視図。
【発明を実施するための形態】
【０００７】
添付の「特許請求の範囲」を包含する本明細書において使用されるとき、単数形「ａ」、「ａｎ」、及び「ｔｈｅ」は複数形を包含し、特定の数値への参照は、その文脈により特に明確に指示されていない限り、少なくともその特定の数値を包含する。値の範囲が述べられている場合、別の実施形態はその一方の特定の値から及び／又は他方の特定の値までを包含する。範囲はすべて、包括的かつ結合可能である。別段の指定がない限り、本明細書において使用するすべての百分率及び比率は、組成物全体の重量によるものであり、また、全ての測定は２５℃でなされるものとする。本発明のパッケージは、本明細書に記載される本発明の特徴、並びに本明細書に記載されるいかなる追加若しくは任意の成分、構成要素、工程、又は制限事項をも含むことができ、これらからなり、これらから本質的になることができる。
【０００８】
「化粧品組成物」は、身体表面に塗布され、その身体表面の１つ以上の美的特徴を向上することを目的とする組成物を意味する。化粧品組成物の非制限的な例を含む、本明細書における使用に好適な化粧品組成物を、以下により詳細に記載する。
【０００９】
「取り外し不能」及びその変化形は、ある要素が別の要素から、どちらの要素の意図される機能を損なうか、又は害することもなく分離されることが意図されないことを意味する。
【００１０】
「取り外し可能」及びその変化形は、ある要素が別の要素から、どちらの要素の意図される機能を損なうか、又は害することもなく分離されることが意図されていることを意味する。
【００１１】
図１は、例示的なパッケージ１００を示す。図１に示されるパッケージ１００は、円筒状に形成され、本体１０２と、第１の細長リザーバ１２２と、第２の細長リザーバ１３４と、キャップ１４４とを含む。パッケージ、又はパッケージの１つ以上の構成要素が、必要に応じて、任意の好適な形状（例えば、三角形、四角形、球状、先細、幅広、狭い、短い、高い、又はそれらの組み合わせ）で構成され得ることを理解するものとする。例えば、第１の細長リザーバは、円筒形状であり得、第２のリザーバは、四角形の形状であり得る。パッケージ又は個々のパッケージ構成要素は、化粧品パッケージを作製するための当該技術分野において既知の任意の好適な材料から作製され得る。好適な材料には、例えば、高密度ポリエチレン、低密度ポリエチレン、ポリエチレンテレフタレート、ポリプロピレン、ポリ塩化ビニル、ポリカーボネート、ナイロン、ポリメチルメタクリレート、ポリサイクロヘキシレンジメチレンテレフタレート、及びフッ素化エチレンプロピレン等のプラスチック材料が挙げられる。ある実施形態では、本体１０２、リザーバ１２２、１３４、及び／又はキャップ１４４は、１つ又は両方のリザーバの内容物を目視することを可能にするか、部分的に可能にするか、又は防止する、透明、準透明、半透明、又は不透明材料を含み得る。この例では、ユーザは、単に、パッケージ１００の透明部分又は半透明部分を通して目視することによって、どれぐらいの組成物がリザーバ１２２、１３４内に残存しているかを容易に判断することが可能であり得る。ある実施形態では、本体１０２の外面１４６は、透明であり得、内部の不透明部分１４８（ここでは、砂時計の形状）が可視化されるのを可能にする。この例では、リザーバ１２２、１３４、及びキャップ１４４は、不透明、透明、又は半透明であり得る。
【００１２】
図２は、線Ａ−Ａに沿った、図１のパッケージ１００を示す。図２に見られるように、本体１０２は、本体１０２の第１の端１０８と第２の端１１０との間にそれぞれ位置付けられた、第１の空洞１０４と、第２の空洞１０６とを含み得る。パッケージ１００は、第１の空洞１０４に接合され、かつそこから延在するアプリケータ１１２を含み得る。ある実施形態では、アプリケータ１１２は、例えば、一般に既知の「スナップ嵌合」機構を用いて、第１の空洞１０４に、取り外し可能に、又は取り外し不能に接続され得る。取り外し可能に接続されたアプリケータは、例えば、使い捨て又はタスク特化アプリケータとして好適であり得る。図２に示されるように、アプリケータ１１２は、螺合部品１１８に接合されるか、又はそれと一体化して形成され得る、ステム１１６に接続されたマスカラブラシ１１４を含み得る。螺合部品１１８は、ステム部分１１７及びフード部分１１９とともに形成され得る。特に好適な実施形態では、螺合部品１１８は、別個に形成され、次いで、アプリケータ１１２に取り外し不能に接合される。例えば、ステム部分１１７は、当該技術分野において既知の任意の好適な手段によって、アプリケータのステム１１６に永久的に接合され得、その一部を形成する。螺合部品１１８のフード部分１１９は、例えば、螺合部品１１８及び／又は第１の空洞１０４上に補完的突出部及び／又は凹部（例えば、リブ及び／又は溝）を提供することによって、第１の空洞１０４とスナップ可能かつ係止可能に係合可能になるように構成され得る。図２に示される例では、螺合部品１１８のフード部分１１９は、第１のリザーバ１２２上の補完的螺合と係合可能である、螺合１２０を含む。ある実施形態では、第１のリザーバ１２２は、その近位端１２４から上方に延在するネックを含み得る。ネックは、螺合部品１１８の螺合１２０と係合可能である螺合を含み得る。他の実施形態では、アプリケータ１１２は、螺合部品１１８なく構成し得る。
【００１３】
第１のリザーバ１２２は、近位端１２４と、遠位端１２６と、例えば、マスカラ又はマスカラリムーバ等のある分量の液体化粧品組成物を保持するための内部容量１５０を画定する１つ以上の壁とを含み得る。第１のリザーバ１２２の近位端１２４は、本体１０２の第１の端１０８に取り外し可能に取り付けられ、かつそこから離れて軸方向に延在して、アプリケータ１１２を保護するように包み込む。第１のリザーバ１２２の遠位端１２６は、閉口端１２８として構成され得る。開口部１３０は、アプリケータ１２２が通って独立して挿入され、かつ取り外されるように、第１のリザーバ１２２の近位端１２４内に提供され得る。ある実施形態では、拭き取り具１３２は、第１のリザーバ１２２からのアプリケータ１１２の取り外しの際に、アプリケータ１１２から余分な液体を拭き取るために、（例えば、開口部１３０内、及び／又はその周辺に）提供され得る。
【００１４】
第２のリザーバ１３４は、近位端１３６と、遠位端１３８と、例えば、マスカラ又はマスカラリムーバ等のある分量の液体化粧品組成物を保持するための内部容量１５２を画定する１つ以上の壁とを含み得る。ある実施形態では、近位端１３６は、第２のリザーバ１３４の閉口端１４０として構成され得る。第２のリザーバは、本体１０２の第２の端１１０に取り外し不能に取り付けられ得、かつそこから離れて軸方向に延在する。ある実施形態では、第２のリザーバ１３４は、例えば、交換リザーバの使用において補助するように、取り外し可能に接続され得る。第２のリザーバ１３４の遠位端１３８は、その中に配置されるある分量の液体化粧品組成物を分配するように構成される開口端１４２を含む。第２のリザーバ１３４は、開口端１４２を被覆するためのキャップ１４４を含み得る。キャップ１４４は、当該技術分野において既知の任意の好適な手段（例えば、ツイスト螺合、スナップカラー、及び同等物）によって、遠位端１３８に取り外し可能に取り付けられ得る。キャップ１４４は、第２のリザーバ１３４の開口端１４２において液体不透過性バリアを提供するために取り外された後に交換され得る。拭き取り具１５４又は他の流動制限機構は、開口端１４２内に存在し得る。
【００１５】
第２のリザーバ１３４又はその部分は、その中に配置された化粧品組成物の分配を促進するように、（例えば、ユーザがリザーバの内容物を搾り出すことを可能にすることによって）少なくとも部分的に変形可能であり得る。第２のリザーバ又は任意の他のパッケージ１００の構成要素が、剛性又は変形可能であり得、内容物が、必要に応じて、振動されるか、又は注ぎ出され得ることを理解するものとする。ある実施形態では、第２のリザーバ１３４は、化粧品組成物を第２のリザーバ１３４から出すのに少なくとも役立つ、ツイスト又はプッシュボタン機構等の１つ以上の付加的な分配手段を含み得る。その内容物の特定の投与のための第２のリザーバ１３４を構成することが望ましい場合がある。図２は、第２のアプリケータを示さないが、第２のリザーバ１３４内の化粧品組成物は、スポンジ、コットンボール、綿棒、ティッシュ、指、アプリケータブラシ等の外部用具を用いて、取得される、及び／又は塗布され得る。
【００１６】
図３は、第１のリザーバ１２２のない、図１のパッケージ１００を示す。
【００１７】
図４は、特定の構成要素を例示する、パッケージ４００の一例を示す。パッケージ４００は、取り外し可能な第１のリザーバ４２２と、取り外し不能な第２のリザーバ４３４と、第１のリザーバ４２２と第２のリザーバ４３４との間に配置された本体４０２とを含む。パッケージ４００は、本体４０２の第１の端４０８に接合され、かつそこから外向きに延在するアプリケータ４１２を含む。第２のリザーバ４３４は、閉口端が第２のリザーバ４３４内で画定されるように、本体４０２の第２の端４１０に取り外し不能に接合され得る。第２のリザーバは、（例えば、ネジ螺合の使用によって）キャップ４４４と動作可能に係合され、それによって、液体不透過性封止を形成するように構成された開口端を含み得る。第１のリザーバ４２２は、本体４０２の第１の端４０８の一部分及び／又はアプリケータ４１２と係合可能である。例えば、第１のリザーバ４２２は、第１のリザーバ４２２の内部容量内に少なくとも部分的に延在する螺合部分を含み得、アプリケータステムの補完的部分と係合可能である。ある実施形態では、第１のリザーバは、例えば、図１及び２のパッケージ１００と同様に、本体４０２の一部分と係合可能な螺合を含む、外向きに延在するネックを含み得る。
【００１８】
図５及び６は、パッケージ２００の別の例を示す。パッケージ２００は、本体２０２と、第１の細長リザーバ２２２と、第２の細長リザーバ２３４と、バルブ２４４とを含む。第２のリザーバ２３４の近位端２３６は、閉口端２４０を画定する。第２のリザーバは、本体２０２の第２の端２１０に取り外し不能に取り付けられ、かつそこから離れて軸方向に延在する。第２のリザーバ２３４は、キャップを備え得るか、又は備え得ない。ある実施形態では、例えば、第２のリザーバ２３４の遠位端２３８の近傍で、内蔵分配手段によって、第２のリザーバの内容物が漏れるのを防止し得る。例えば、絞り出し可能又は測定された用量で、第２のリザーバ２３４から液体パーソナルケア組成物を分配するための種々の方法が存在する。一実施形態では、第２のリザーバ２３４は、第２のリザーバ２３４内に配置された液体化粧品組成物を分配するように協働する、圧縮可能領域２５２と、一方向バルブ２４４とを含み得る。本体２０２及びリザーバ２２２、２３４の外面は、不透明、透明、若しくは半透明、又はこれらの任意の組み合わせであり得る。ある実施形態では、本体２０２は、砂時計を表すようなステッカー、ラベル、又はプリント２５４を含み得る。
【００１９】
図６は、第１のリザーバ２２２のない、図５のパッケージ２００を示す。アプリケータは、必要に応じて、円形、円筒形、楕円形、ペイントブラシ、又は任意の他の好適な形状のアプリケータヘッド２１４を含む。アプリケータヘッド２１４のための好適な材料には、熱可塑性ポリウレタン、熱可塑性加硫物、ゴム、スポンジ、フエルト、布地、乾燥剤繊維、剛毛、フロック加工、それらの組み合わせ、又は別の材料若しくは液体化粧品製品を混合、分配、又は拡散することが可能な材料の組み合わせが挙げられるが、これらに限定されない。アプリケータヘッド２１４は、ラテックス、ゴム、ＴＰＥ、スポンジ、及び同等物等の可撓性材料及び／又は柔軟材料から作製され得る。アプリケータ２１２はまた、ステム２１６も含み得る。
【００２０】
本体は、第１及び第２のリザーバの寸法を反映するように細長い場合がある。又は、図７のパッケージ内に示されるように、本体３０２は、依然として第１のリザーバ３２２と第２のリザーバ３３４との間の接続具として機能するのに実用的であるよう、小さい場合がある。他のパッケージでは、図８ａ及び８ｂに示されるように、本体は、第２のリザーバ５３４、６３４、及び／又は第１のリザーバ５２２、６２２と一体化して形成され得、中間本体のない外観を与え得る。更に他のパッケージでは、本体が一切ない場合がある。別の実施形態では、パッケージは、２つの端／２つの区画を有し、別個のキャップがない、従来のマスカラパッケージのようであり、この場合では、アプリケータは、第２のリザーバの近位端に付随し、第１のリザーバの近位端は、第２のリザーバの近位端に取り外し可能に接続される。
【００２１】
本明細書においてパッケージは、２つ以上の異なる液体組成物を含有し得る。例示的組成物には、化粧品組成物（例えば、マスカラ、口紅、リップグロス、ブラシ、コンシーラー、アイライナー、仕上げシーラント）、育毛組成物、脱毛組成物（例えば、ワックス又はセーラム）、発毛を抑える組成物、半永久インク（例えば、刺青、化粧品、又は個人的な装飾用）、マニキュア、スキンケア組成物（例えば、目元保湿剤、アンチエージングセーラム、日焼け止め、保護バーム）、救急用組成物（例えば、液体バンドエイド、ヒドロコルチゾン、クレンジング剤、抗生物質軟膏）、医薬品組成物（例えば、処方箋ニキビ治療、術後軟膏、生歯又は口痛用経口薬、歯のホワイトニング組成物）、毛髪着色剤組成物（例えば、ハイライト、根元用、又はノベルティー）、及びそれらの組み合わせが挙げられるが、これらに限定されない。他の例示的組成物には、先述の文章内の１つ以上の組成物（例えば、除光液、マスカラリムーバ）を除去、修正、補完、又は補足するように調合された組成物が挙げられる。
【００２２】
ある実施形態では、本明細書におけるパッケージは、第１の液体組成物を塗布し、並びに第１の液体パーソナルケア組成物を第２の液体組成物から除去するために使用され得る。ある実施形態では、本発明のパッケージは、第１の液体組成物、及び第２の補完的液体組成物を塗布するために使用され得る。ある実施形態では、本発明のパッケージは、２つの化学的に互換性のない液体組成物のために使用され得、このパッケージは、２つの組成物の混合又は汚染を防止するように構成される。
【実施例】
【００２３】
以下は、好適な組成物の例である。
【００２４】
実施例Ｉ：本発明の多色液体ファンデーションは、以下のとおりに調製される。
【００２５】
【表１】
2013525015.tif 000003
*1  染色ゲルは、６０マイクロメートルの平均粒子寸法を有する顔料（二酸化チタン及び酸化鉄）１０％と、ポリマー約１２％と、シクロメチコン流体７８％とを含む。
*2  Ｖａｎｄｅｒｂｉｌｔより供給。
【００２６】
好適な容器の中に、水、グリセリン、ＥＤＴＡ二ナトリウム、及びベンジルアルコールを加え、透明な水相が得られるまで従来の技術を用いて混合する。水相が透明になったらメチルパラベンを加え、透明になるまで再度混合する。次いで、ポリアクリル酸アンモニウム、二酸化チタン、及び酸化鉄を加え、混合して分散させる。得られた相を、Ｓｉｌｖｅｒｓｏｎ  ＳＬ２Ｔ又は類似の機器により高速（８，０００ｒｐｍ、標準ヘッド）で混合し、顔料を完全に解凝集する。別の容器に、ＫＳＧ２１、疎水性二酸化チタン及び酸化鉄、ＤＣ２４５、並びにパラベンを加える。均質になるまでＳｉｌｖｅｒｓｏｎを高速で用いてこの混合物を粉砕する。次に、染色水相及び染色シリコーン相を混ぜ合わせ、Ｓｉｌｖｅｒｓｏｎを高速で使用して、水が完全に組み込まれエマルションが形成されるまで粉砕する。最後に、二酸化チタン及び酸化鉄の混合物と色が有意に異なるように染色ゲルを選択する。次にこれを加えて、生成物をＳｉｌｖｅｒｓｏｎを高速で用いて再度混合する。次いで、得られた多色最終製品を適切な容器に入れる。
【００２７】
実施例ＩＩ：スキンケア組成物は、以下のとおりに調製される。
【００２８】
【表２】
2013525015.tif 000004
*1  Ｓｅｄｅｒｍａ，Ｉｎｃ．（Ｅｄｉｓｏｎ，ＮＪ）製のアンチエイジングペプチド溶液。
*2  Ｎｏｖｅｏｎ  Ｃｏｎｓｕｍｅｒ  Ｓｐｅｃｉａｌｔｉｅｓ（Ｃｌｅｖｅｌａｎｄ，ＯＨ）製のＡｃｒｙｌａｔｅｓ／Ｃ１０〜３０アルキルアクリレートクロスポリマー。
*3  ＳＥＰＰＩＣ，Ｉｎｃ．（Ｆａｉｒｆｉｅｌｄ，ＮＪ）製のポリアクリルアミド及びＣ１３〜１４イソパラフィン及びラウレス−７。
*4  ＳＥＰＰＩＣ，Ｉｎｃ．（Ｆａｉｒｆｉｅｌｄ，ＮＪ）製のアクリル酸ヒドロキシエチル／アクリロイルジメチルタウリンＮａコポリマー及びイソヘキサデカン並びにポリソルビン酸６０。
*5  ＳＥＰＰＩＣ，Ｉｎｃ．（Ｆａｉｒｆｉｅｌｄ，ＮＪ）製のアクリル酸ナトリウム／アクリロイルジメチルタウリンＮａコポリマー及びイソヘキサデカン並びにポリソルビン酸８０。
*6  ＳＥＰＰＩＣ，Ｉｎｃ．（Ｆａｉｒｆｉｅｌｄ，ＮＪ）製のアクリル酸ヒドロキシエチル／アクリロイルジメチルタウリンＮａコポリマー及びイソヘキサデカン並びにポリソルビン酸６０。
*7  ＣＰ  Ｋｅｌｃｏ（Ｓａｎ  Ｄｉｅｇｏ，ＣＡ）製のミクロ繊維化セルロース、キサンタンガム、及びカルボキシメチルセルロースナトリウムの混合物。
*8  ＥＭＤ  Ｃｈｅｍｉｃａｌｓ，Ｉｎｃ．（Ｇｉｂｂｓｔｏｗｎ，ＮＪ）製の酸化鉄、四三酸化鉄、及び二酸化チタンでコーティングされた雲母。
【００２９】
相Ａ材料を容器の中で混合する。相Ｂ材料を別の容器の中で混合する。相Ｂを相Ａに混ぜ合わせる。相Ａと相Ｂとを混合した後に小板状体粒子を加える。
【００３０】
実施例ＩＩＩ：ロングウェアマスカラは、以下のとおりに調製される。
【００３１】
【表３】
2013525015.tif 000005
【００３２】
相Ａの成分を融解させ、低剪断攪拌で共に混合する。相Ｂを相Ａに少しずつ添加し、その後高剪断攪拌で分散させる。次に相Ｃを添加し、高剪断攪拌で混合する。次に相Ｄを添加し、高剪断攪拌で分散させる。バッチを周囲条件へと冷却し、相Ｅを添加して混ぜ込む。
【００３３】
実施例ＩＶ：大きなワックス粒子及び繊維を含有するマスカラは、以下のとおりに調製される。
【００３４】
【表４】
2013525015.tif 000006
【００３５】
相Ａを加熱して、ワックスを溶かし、染料をＣｏｗｌｅｓ  Ｂａｌｄｅミキサーで分散させる。相Ｂの材料を周囲条件で共に攪拌し、及び相Ｃの材料を周囲条件で共に攪拌し、次いでそれを相Ｂ（ゲル相Ｂ）に加え、そしてこの混合物を攪拌し、次に約８５℃に加熱する。相Ａ及び相Ｂ／Ｃを共に混合して水中油（ろう）型エマルションを作製する。混合物を１５分間攪拌し、次いで室温まで徐々に冷却する。冷却中に、相Ｄ及びＥを混合物に加え、６０℃よりも低温で攪拌する。相Ｆは、均一になるまで加えて、混合された、カーボンブラック（Ｄ＆ＣブラックＮｏ．２）繊維でポリマー化された１０  Ｄｅｃｉｔｅｘ  ２ｍｍナイロン−６である。相Ｇは、噴霧乾燥等の当該技術分野において既知の典型的な工程を使用して別個に調製される、球状のポリエチレンろう粒子である。マスカラが約２５℃まで冷却されたら、相Ｆをマスカラに加えて混合する。
【００３６】
実施例Ｖ：アイメイクアップリムーバ：
ミネラルオイル、イソプロピルパルミチン酸、ポリエチレン、Ｃｅｔｅｔｈ  ２０、トリヒドロキシステアリン、ソルビン酸、メチルパラベン、バニリン、及び二酸化チタンを含む、アイメイクアップリムーバの一例は、ＣＯＶＥＲＧＩＲＬ  ＣＬＥＡＮリムーバである。
【００３７】
本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。
【００３８】
相互参照されるか又は関連するすべての特許又は特許出願を含む、本願に引用されるすべての文書を、特に除外すること又は限定することを明言しないかぎりにおいて、その全容にわたって本願に援用するものである。いずれの文献の引用も、こうした文献が本願で開示又は特許請求されるすべての発明に対する先行技術であることを容認するものではなく、また、こうした文献が、単独で、あるいは他のすべての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００３９】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１】
2013525015.tif 000007
【図２】
2013525015.tif 000008
【図３】
2013525015.tif 000009
【図４】
2013525015.tif 000010
【図５】
2013525015.tif 000011
【図６】
2013525015.tif 000012
【図７】
2013525015.tif 000013
【図８ａ】
2013525015.tif 000014
【図８ｂ】
2013525015.tif 000015
【国際調査報告】
2013525015.tif 000016
2013525015.tif 000017